【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
低密度パリティ検査（ＬＤＰＣ）符号を使用するシステムにおけるチャネル符号化方法であって、
パンクチャーリングするパリティビットの個数を決定するステップと、
前記パンクチャーリングするパリティビットの個数に基づいてパンクチャーリングするパリティビットグループの個数を決定するステップと、
前記決定されたパンクチャーリングするパリティビットグループの個数及びあらかじめ決定されたパンクチャーリングするパリティビットグループの順序に基づいてパリティビットをパンクチャーリングするステップとを有し、
前記パリティビットグループは、１個のパリティビットグループ内の複数のパリティビットが所定の間隔を有するように構成されることを特徴とする低密度パリティ検査符号を使用するシステムにおけるチャネル符号化方法。
【請求項２】
前記あらかじめ決定されたパンクチャーリングするパリティビットグループの順序は、符号語長さが１６２００である時、６，４，１８，９，１３，８，１５，２０，５，１７，２，２４，１０，２２，１２，３，１６，２３，１，１４，０，２１，１９，７，１１であることを特徴とする請求項１に記載の低密度パリティ検査符号を使用するシステムにおけるチャネル符号化方法。
【請求項３】
前記あらかじめ決定されたパンクチャーリングするパリティビットグループの順序は、符号語長さが１６２００である時、２７，１３，２９，３２，５，０，１１，２１，３３，２０，２５，２８，１８，３５，８，３，９，３１，２２，２４，７，１４，１７，４，２，２６，１６，３４，１９，１０，１２，２３，１，６，３０，１５であることを特徴とする請求項１に記載の低密度パリティ検査符号を使用するシステムにおけるチャネル符号化方法。
【請求項４】
前記パンクチャーリングするパリティビットの個数が１個のパリティビットグループの長さの倍数でない場合に、前記パリティビットを付加的にパンクチャーリングするステップをさらに有することを特徴とする請求項１に記載の低密度パリティ検査符号を使用するシステムにおけるチャネル符号化方法。
【請求項５】
前記パンクチャーリングされたビットを除外した残りのビットを送信するステップをさらに有することを特徴とする請求項１に記載の低密度パリティ検査符号を使用するシステムにおけるチャネル符号化方法。
【請求項６】
前記パリティビットグループの個数は以下に示す数式１により決定されることを特徴とする請求項１に記載の低密度パリティ検査符号を使用するシステムにおけるチャネル符号化方法。
【数１】
2011512106.tif 000001
（式中、Ａはパンクチャーリングするパリティビットグループの個数を示し、Ｎｐはパンクチャーリングするパリティビットの個数を示し、Ｍ１は１個のパリティビットグループの長さを示す。）
【請求項７】
前記パリティビットグループは以下に示す数式２により決定され、前記数式２は０≦ｊ＜ｑを満足することを特徴とする請求項６に記載の低密度パリティ検査符号を使用するシステムにおけるチャネル符号化方法。
【数２】
2011512106.tif 000002
（式中、Ｐｊはｊ番目のパリティビットグループを示し、Ｎ１は符号語長さを示し、Ｋ１は情報語長さを示し、Ｍ１は１個のパリティビットグループの長さを示し、ｑはｑ＝（Ｎ１−Ｋ１）／Ｍ１を満足し、Ｋ１／Ｍ１は整数である。）
【請求項８】
Ａ個のパリティビットグループＰp（０），Ｐp（１），．．．，Ｐp（Ａ−１）内のすべてのパリティビットがパンクチャーリングされ、
Ｐp（Ａ）パリティビットグループ内のパリティビットの中、（Ｎｐ−３６０  Ａ）個のパリティビットが付加的にパンクチャーリングされることを特徴とする請求項７に記載の低密度パリティ検査符号を使用するシステムにおけるチャネル符号化方法。
【請求項９】
低密度パリティ検査（ＬＤＰＣ）符号を使用するシステムにおけるチャネル符号化装置であって、
パンクチャーリングするパリティビットの個数を決定し、前記パンクチャーリングするパリティビットの個数に基づいてパンクチャーリングするパリティビットグループの個数を決定し、前記決定されたパンクチャーリングするパリティビットグループの個数及びあらかじめ決定されたパンクチャーリングするパリティビットグループの順序に基づいてパリティビットをパンクチャーリングするパンクチャーリングパターン適用部を有し、
前記パリティビットグループは、１個のパリティビットグループ内の複数のパリティビットが所定の間隔を有するように構成されることを特徴とする低密度パリティ検査符号を使用するシステムにおけるチャネル符号化装置。
【請求項１０】
前記あらかじめ決定されたパンクチャーリングするパリティビットグループの順序は、符号語長さが１６２００である時、６，４，１８，９，１３，８，１５，２０，５，１７，２，２４，１０，２２，１２，３，１６，２３，１，１４，０，２１，１９，７，１１であることを特徴とする請求項９に記載の低密度パリティ検査符号を使用するシステムにおけるチャネル符号化装置。
【請求項１１】
前記あらかじめ決定されたパンクチャーリングするパリティビットグループの順序は、符号語長さが１６２００である時、２７，１３，２９，３２，５，０，１１，２１，３３，２０，２５，２８，１８，３５，８，３，９，３１，２２，２４，７，１４，１７，４，２，２６，１６，３４，１９，１０，１２，２３，１，６，３０，１５であることを特徴とする請求項９に記載の低密度パリティ検査符号を使用するシステムにおけるチャネル符号化装置。
【請求項１２】
前記パンクチャーリングするパリティビットの個数が１個のパリティビットグループの長さの倍数でない場合に、前記パンクチャーリングパターン適用部は、前記パリティビットを付加的にパンクチャーリングするようにさらに構成されることを特徴とする請求項９に記載の低密度パリティ検査符号を使用するシステムにおけるチャネル符号化装置。
【請求項１３】
前記パンクチャーリングされたビットを除外した残りのビットを送信する送信部をさらに有することを特徴とする請求項９に記載の低密度パリティ検査符号を使用するシステムにおけるチャネル符号化装置。
【請求項１４】
前記パリティビットグループの個数は以下に示す数式３により決定されることを特徴とする請求項１３に記載の低密度パリティ検査符号を使用するシステムにおけるチャネル符号化装置。
【数３】
2011512106.tif 000003
（式中、Ａはパンクチャーリングするパリティビットグループの個数を示し、Ｎｐはパンクチャーリングするパリティビットの個数を示し、Ｍ１は１個のパリティビットグループの長さを示す。）
【請求項１５】
前記パリティビットグループは以下に示す数式４により決定され、前記数式４は、０≦ｊ＜ｑを満足することを特徴とする請求項１４に記載の低密度パリティ検査符号を使用するシステムにおけるチャネル符号化装置。
【数４】
2011512106.tif 000004
（式中、Ｐｊはｊ番目のパリティビットグループを示し、Ｎ１は符号語長さを示し、Ｋ１は情報語長さを示し、Ｍ１は１個のパリティビットグループの長さを示し、ｑはｑ＝（Ｎ１−Ｋ１）／Ｍ１を満足し、Ｋ１／Ｍ１は整数である。）
【請求項１６】
Ａ個のパリティビットグループＰp（０），Ｐp（１），．．．，Ｐp（Ａ−１）内のすべてのパリティビットがパンクチャーリングされ、
Ｐp（Ａ）パリティビットグループ内のパリティビットの中、（Ｎｐ−３６０  Ａ）個のパリティビットが付加的にパンクチャーリングされることを特徴とする請求項１５に記載の低密度パリティ検査符号を使用するシステムにおけるチャネル符号化装置。
【請求項１７】
低密度パリティ検査（ＬＤＰＣ）符号を使用するシステムにおけるチャネル復号化方法であって、
送信器から送信された信号を復調するステップと、
あらかじめ決定されたパンクチャーリングされたパリティビットグループの順序に関する情報及びパリティビットグループの個数に関する情報を推定することによりパンクチャーリングされたパリティビットの位置情報を決定するステップと、
前記パンクチャーリングされたパリティビットの位置情報を用いてデータを復号化するステップとを有し、
前記パンクチャーリングされたパリティビットの位置情報を決定するステップは、
パンクチャーリングされたパリティビットの個数を決定するステップと、
前記パンクチャーリングされたパリティビットの個数に基づいてパンクチャーリングされたパリティビットグループの個数を決定するステップと、
前記あらかじめ決定されたパンクチャーリングされたパリティビットグループの順序を取得するステップとを有することを特徴とする低密度パリティ検査符号を使用するシステムにおけるチャネル復号化方法。
【請求項１８】
前記あらかじめ決定されたパンクチャーリングされたパリティビットグループの順序は、符号語長さが１６２００である時、６，４，１８，９，１３，８，１５，２０，５，１７，２，２４，１０，２２，１２，３，１６，２３，１，１４，０，２１，１９，７，１１であることを特徴とする請求項１７に記載の低密度パリティ検査符号を使用するシステムにおけるチャネル復号化方法。
【請求項１９】
前記あらかじめ決定されたパンクチャーリングされたパリティビットグループの順序は、符号語長さが１６２００である時、２７，１３，２９，３２，５，０，１１，２１，３３，２０，２５，２８，１８，３５，８，３，９，３１，２２，２４，７，１４，１７，４，２，２６，１６，３４，１９，１０，１２，２３，１，６，３０，１５であることを特徴とする請求項１７に記載の低密度パリティ検査符号を使用するシステムにおけるチャネル復号化方法。
【請求項２０】
前記パンクチャーリングされたパリティビットの個数が１個のパリティビットグループの長さの倍数でない場合に、前記パリティビットが付加的にパンクチャーリングされたものと判断するステップをさらに有することを特徴とする請求項１７に記載の低密度パリティ検査符号を使用するシステムにおけるチャネル復号化方法。
【請求項２１】
前記パンクチャーリングされたビットを除外した残りのビットを受信するステップをさらに有することを特徴とする請求項１７に記載の低密度パリティ検査符号を使用するシステムにおけるチャネル復号化方法。
【請求項２２】
前記パリティビットグループの個数は以下に示す数式５により決定されることを特徴とする請求項１７に記載の低密度パリティ検査符号を使用するシステムにおけるチャネル復号化方法。
【数５】
2011512106.tif 000005
（式中、Ａはパンクチャーリングされたパリティビットグループの個数を示し、Ｎｐはパンクチャーリングされたパリティビットの個数を示し、Ｍ１は１個のパリティビットグループの長さを示す。）
【請求項２３】
前記パリティビットグループは以下に示す数式６により決定され、前記数式６は０≦ｊ＜ｑを満足することを特徴とする請求項２２に記載の低密度パリティ検査符号を使用するシステムにおけるチャネル復号化方法。
【数６】
2011512106.tif 000006
（式中、Ｐｊはｊ番目のパリティビットグループを示し、Ｎ１は符号語長さを示し、Ｋ１は情報語長さを示し、Ｍ１は１個のパリティビットグループの長さを示し、ｑはｑ＝（Ｎ１−Ｋ１）／Ｍ１を満足し、Ｋ１／Ｍ１は整数である。）
【請求項２４】
前記パンクチャーリングされたパリティビットの位置情報を決定するステップは、
Ａ個のパリティビットグループＰp（０），Ｐp（１），．．．，Ｐp（Ａ−１）内のすべてのパリティビットがパンクチャーリングされたものと決定するステップと、
Ｐp（Ａ）パリティビットグループ内のパリティビットの中、（Ｎｐ−３６０  Ａ）個のパリティビットが付加的にパンクチャーリングされたものと決定するステップとを有することを特徴とする請求項２３に記載の低密度パリティ検査符号を使用するシステムにおけるチャネル復号化方法。
【請求項２５】
低密度パリティ検査（ＬＤＰＣ）符号を使用するシステムにおけるチャネル復号化装置であって、
送信器から送信された信号を復調する復調器と、
あらかじめ決定されたパンクチャーリングされたパリティビットグループの順序に関する情報及びパリティビットグループの個数に関する情報を推定することによりパンクチャーリングされたパリティビットの位置情報を決定するパンクチャーリングパターン推定器と、
前記パンクチャーリングされたパリティビットの位置情報を用いてデータを復号化する復号化器とを有し、
前記パンクチャーリングされたパリティビットの位置情報は、パンクチャーリングされたパリティビットの個数を決定し、前記パンクチャーリングされたパリティビットの個数に基づいてパンクチャーリングされたパリティビットグループの個数を決定し、前記あらかじめ決定されたパンクチャーリングされたパリティビットグループの順序を取得することにより決定されることを特徴とする低密度パリティ検査符号を使用するシステムにおけるチャネル復号化装置。
【請求項２６】
前記あらかじめ決定されたパンクチャーリングされたパリティビットグループの順序は、符号語長さが１６２００である時、６，４，１８，９，１３，８，１５，２０，５，１７，２，２４，１０，２２，１２，３，１６，２３，１，１４，０，２１，１９，７，１１であることを特徴とする請求項２５に記載の低密度パリティ検査符号を使用するシステムにおけるチャネル復号化装置。
【請求項２７】
前記あらかじめ決定されたパンクチャーリングされたパリティビットグループの順序は、符号語長さが１６２００である時、２７，１３，２９，３２，５，０，１１，２１，３３，２０，２５，２８，１８，３５，８，３，９，３１，２２，２４，７，１４，１７，４，２，２６，１６，３４，１９，１０，１２，２３，１，６，３０，１５であることを特徴とする請求項２５に記載の低密度パリティ検査符号を使用するシステムにおけるチャネル復号化装置。
【請求項２８】
前記パンクチャーリングされたパリティビットの個数が１個のパリティビットグループの長さの倍数でない場合に、前記パンクチャーリングパターン推定器は、前記パリティビットが付加的にパンクチャーリングされたものと判断することを特徴とする請求項２５に記載の低密度パリティ検査符号を使用するシステムにおけるチャネル復号化装置。
【請求項２９】
前記パンクチャーリングされたビットを除外した残りのビットを受信する受信部をさらに有することを特徴とする請求項２５に記載の低密度パリティ検査符号を使用するシステムにおけるチャネル復号化装置。
【請求項３０】
前記パリティビットグループの個数は以下に示す数式７により決定されることを特徴とする請求項２５に記載の低密度パリティ検査符号を使用するシステムにおけるチャネル復号化装置。
【数７】
2011512106.tif 000007
（式中、Ａはパンクチャーリングされたパリティビットグループの個数を示し、Ｎｐはパンクチャーリングされたパリティビットの個数を示し、Ｍ１は１個のパリティビットグループの長さを示す。）
【請求項３１】
前記パリティビットグループは以下に示す数式８により決定され、前記数式８は０≦ｊ＜ｑを満足することを特徴とする請求項３０に記載の低密度パリティ検査符号を使用するシステムにおけるチャネル復号化装置。
【数８】
2011512106.tif 000008
（式中、Ｐｊはｊ番目のパリティビットグループを示し、Ｎ１は符号語長さを示し、Ｋ１は情報語長さを示し、Ｍ１は１個のパリティビットグループの長さを示し、ｑはｑ＝（Ｎ１−Ｋ１）／Ｍ１を満足し、Ｋ１／Ｍ１は整数である。）
【請求項３２】
前記パンクチャーリングされたパリティビットの位置情報を決定することは、
Ａ個のパリティビットグループＰp（０），Ｐp（１），．．．，Ｐp（Ａ−１）内のすべてのパリティビットがパンクチャーリングされたものと決定し、
Ｐp（Ａ）パリティビットグループ内のパリティビットの中、（Ｎｐ−３６０  Ａ）個のパリティビットが付加的にパンクチャーリングされたものと決定することを特徴とする請求項３１に記載の低密度パリティ検査符号を使用するシステムにおけるチャネル復号化装置。
【手続補正２】
【補正対象書類名】明細書
【補正対象項目名】００３４
【補正方法】変更
【補正の内容】
【００３４】
上記のような目的を達成するために、本発明の一態様によれば、低密度パリティ検査（ＬＤＰＣ）符号を使用するシステムにおけるチャネル符号化方法であって、パンクチャーリングするパリティビットの個数を決定するステップと、前記パンクチャーリングするパリティビットの個数に基づいてパンクチャーリングするパリティビットグループの個数を決定するステップと、前記決定されたパンクチャーリングするパリティビットグループの個数及びあらかじめ決定されたパンクチャーリングするパリティビットグループの順序に基づいてパリティビットをパンクチャーリングするステップとを有し、前記パリティビットグループは、１個のパリティビットグループ内の複数のパリティビットが所定の間隔を有するように構成されることを特徴とする。
【手続補正３】
【補正対象書類名】明細書
【補正対象項目名】００３５
【補正方法】変更
【補正の内容】
【００３５】
本発明の他の態様によれば、低密度パリティ検査（ＬＤＰＣ）符号を使用するシステムにおけるチャネル符号化装置であって、パンクチャーリングするパリティビットの個数を決定し、前記パンクチャーリングするパリティビットの個数に基づいてパンクチャーリングするパリティビットグループの個数を決定し、前記決定されたパンクチャーリングするパリティビットグループの個数及びあらかじめ決定されたパンクチャーリングするパリティビットグループの順序に基づいてパリティビットをパンクチャーリングするパンクチャーリングパターン適用部を有し、前記パリティビットグループは、１個のパリティビットグループ内の複数のパリティビットが所定の間隔を有するように構成されることを特徴とする。
【手続補正４】
【補正対象書類名】明細書
【補正対象項目名】００３６
【補正方法】変更
【補正の内容】
【００３６】
本発明のさらに他の態様によれば、低密度パリティ検査（ＬＤＰＣ）符号を使用するシステムにおけるチャネル復号化方法であって、送信器から送信された信号を復調するステップと、あらかじめ決定されたパンクチャーリングされたパリティビットグループの順序に関する情報及びパリティビットグループの個数に関する情報を推定することによりパンクチャーリングされたパリティビットの位置情報を決定するステップと、前記パンクチャーリングされたパリティビットの位置情報を用いてデータを復号化するステップとを有し、前記パンクチャーリングされたパリティビットの位置情報を決定するステップは、パンクチャーリングされたパリティビットの個数を決定するステップと、前記パンクチャーリングされたパリティビットの個数に基づいてパンクチャーリングされたパリティビットグループの個数を決定するステップと、前記あらかじめ決定されたパンクチャーリングされたパリティビットグループの順序を取得するステップとを有することを特徴とする。
【手続補正５】
【補正対象書類名】明細書
【補正対象項目名】００３７
【補正方法】変更
【補正の内容】
【００３７】
本発明のさらなる他の態様によれば、低密度パリティ検査（ＬＤＰＣ）符号を使用するシステムにおけるチャネル復号化装置であって、送信器から送信された信号を復調する復調器と、あらかじめ決定されたパンクチャーリングされたパリティビットグループの順序に関する情報及びパリティビットグループの個数に関する情報を推定することによりパンクチャーリングされたパリティビットの位置情報を決定するパンクチャーリングパターン推定器と、前記パンクチャーリングされたパリティビットの位置情報を用いてデータを復号化する復号化器とを有し、前記パンクチャーリングされたパリティビットの位置情報は、パンクチャーリングされたパリティビットの個数を決定し、前記パンクチャーリングされたパリティビットの個数に基づいてパンクチャーリングされたパリティビットグループの個数を決定し、前記あらかじめ決定されたパンクチャーリングされたパリティビットグループの順序を取得することにより決定されることを特徴とする。